【手続補正書】
【提出日】令和1年7月25日(2019.7.25)
【手続補正１】
【補正対象書類名】特許請求の範囲
【補正対象項目名】請求項１
【補正方法】変更
【補正の内容】
【請求項１】
自動運転可能な車両に搭乗するユーザと接触するよう設けられた提示面部（８２ａ）を振動させる制御により、当該ユーザに情報を提示する情報提示制御装置であって、
自動運転に関連したシステムの状態情報を取得する情報取得部（５１）と、
自動運転の継続が困難か否かの判断と、自動運転の継続が困難でない場合での前記ユーザへの運転参加の要請度の判定とを、前記状態情報に基づき行う状態判定部（５２）と、
自動運転の継続が困難でない場合に、前記状態判定部の判定結果を前記提示面部の振動のオン及びオフの繰り返しによって通知し、前記判定結果の示す要請度が高いほど振動のインターバル（Ｔｉｎ１，Ｔｉｎ２）を短く規定する提示制御部（５３）と、を備え、
前記提示制御部は、自動運転の継続が困難である場合に、要請度の前記判定結果を前記ユーザに通知する場合とは異なる波形の振動を、前記提示面部に生じさせる情報提示制御装置。
【手続補正２】
【補正対象書類名】特許請求の範囲
【補正対象項目名】請求項７
【補正方法】変更
【補正の内容】
【請求項７】
自動運転可能な車両に搭乗するユーザと接触するよう設けられた提示面部（８２ａ）を振動させる制御により、当該ユーザに情報を提示する情報提示制御装置であって、
自動運転に関連したシステムの状態情報を取得する情報取得部（５１）と、
自動運転の継続が困難か否かの判断と、自動運転の継続が困難でない場合での前記ユーザへの運転参加の要請度の判定とを、前記状態情報に基づき行う状態判定部（５２）と、
自動運転の継続が困難でない場合に、運転参加の要請度に基づいてこのシステムの擬似的な鼓動を生成し、前記提示面部の振動によって再現した前記鼓動を前記ユーザにバイオフィードバックする提示制御部（５３）と、を備え、
前記提示制御部は、自動運転の継続が困難である場合に、前記ユーザにバイオフィードバックする場合とは異なる波形の振動を、前記提示面部に生じさせる情報提示制御装置。
【手続補正３】
【補正対象書類名】特許請求の範囲
【補正対象項目名】請求項８
【補正方法】変更
【補正の内容】
【請求項８】
自動運転可能な車両に搭乗するユーザと接触するよう設けられた提示面部（８２ａ）を振動させる制御により、当該ユーザに情報を提示する情報提示制御プログラムであって、
少なくとも一つの処理部（４１）を、
自動運転に関連したシステムの状態情報を取得する情報取得部（５１）と、
自動運転の継続が困難か否かの判断と、自動運転の継続が困難でない場合での前記ユーザへの運転参加の要請度の判定とを、前記状態情報に基づき行う状態判定部（５２）と、
自動運転の継続が困難でない場合に、前記状態判定部の判定結果を前記提示面部の振動のオン及びオフの繰り返しによって通知し、前記判定結果の示す要請度が高いほど振動のインターバル（Ｔｉｎ１，Ｔｉｎ２）を短く規定する提示制御部（５３）として機能させ、
前記提示制御部は、自動運転の継続が困難である場合に、要請度の前記判定結果を前記ユーザに通知する場合とは異なる波形の振動を、前記提示面部に生じさせる情報提示制御プログラム。
【手続補正４】
【補正対象書類名】特許請求の範囲
【補正対象項目名】請求項９
【補正方法】変更
【補正の内容】
【請求項９】
自動運転可能な車両に搭乗するユーザと接触するよう設けられた提示面部（８２ａ）を振動させる制御により、当該ユーザに情報を提示する情報提示制御プログラムであって、
少なくとも一つの処理部（４１）を、
自動運転に関連したシステムの状態情報を取得する情報取得部（５１）と、
自動運転の継続が困難か否かの判断と、自動運転の継続が困難でない場合での前記ユーザへの運転参加の要請度の判定とを、前記状態情報に基づき行う状態判定部（５２）と、
自動運転の継続が困難でない場合に、運転参加の要請度に基づいてこのシステムの擬似的な鼓動を生成し、前記提示面部の振動によって再現した前記鼓動を前記ユーザにバイオフィードバックする提示制御部（５３）として機能させ、
前記提示制御部は、自動運転の継続が困難である場合に、前記ユーザにバイオフィードバックする場合とは異なる波形の振動を、前記提示面部に生じさせる情報提示制御プログラム。
【手続補正５】
【補正対象書類名】特許請求の範囲
【補正対象項目名】請求項１０
【補正方法】変更
【補正の内容】
【請求項１０】
自動運転可能な車両に搭乗するユーザと接触するよう設けられた提示面部（８２ａ）を
振動させる制御により、当該ユーザに情報を提示する情報提示制御装置であって、
前記車両から情報を取得する情報取得部（５１）と、
自動運転の継続が困難か否かの判断と、自動運転の継続が困難でない場合での前記ユーザへの運転参加の要請度の判定とを、前記情報に基づき行う状態判定部（５２）と、
自動運転の継続が困難でない場合に、運転参加の要請度に基づき、前記提示面部の振動のインターバル（Ｔｉｎ１，Ｔｉｎ２）を規定する提示制御部（５３）と、を備え、
前記提示制御部は、自動運転の継続が困難である場合に、自動運転の継続が困難でない場合とは異なる波形の振動を、前記提示面部に生じさせる情報提示制御装置。
【手続補正６】
【補正対象書類名】特許請求の範囲
【補正対象項目名】請求項１１
【補正方法】変更
【補正の内容】
【請求項１１】
自動運転可能な車両に搭乗するユーザと接触するよう設けられた提示面部（８２ａ）を脈動させる制御により、当該ユーザに情報を提示する情報提示制御装置であって、
自動運転に関連したシステムの状態情報を取得する情報取得部（５１）と、
自動運転の継続が困難か否かの判断と、自動運転の継続が困難でない場合での前記ユーザへの運転参加の要請度の判定とを、前記状態情報に基づき行う状態判定部（５２）と、
自動運転の継続が困難でない場合に、運転参加の要請度に基づいて前記提示面部を脈動させる周期を可変させる提示制御部（５３）と、を備え、
前記提示制御部は、自動運転の継続が困難である場合に、前記提示面部を脈動させる場合とは異なる波形の振動を、前記提示面部に生じさせる情報提示制御装置。
【手続補正７】
【補正対象書類名】明細書
【補正対象項目名】０００６
【補正方法】変更
【補正の内容】
【０００６】
上記目的を達成するため、開示された一つの態様は、自動運転可能な車両に搭乗するユーザと接触するよう設けられた提示面部（８２ａ）を振動させる制御により、当該ユーザに情報を提示する情報提示制御装置であって、自動運転に関連したシステムの状態情報を取得する情報取得部（５１）と、自動運転の継続が困難か否かの判断と、自動運転の継続が困難でない場合でのユーザへの運転参加の要請度の判定とを、状態情報に基づき行う状態判定部（５２）と、自動運転の継続が困難でない場合に、状態判定部の判定結果を提示面部の振動のオン及びオフの繰り返しによって通知し、判定結果の示す要請度が高いほど振動のインターバル（Ｔｉｎ１，Ｔｉｎ２）を短く規定する提示制御部（５３）と、を備え、提示制御部は、自動運転の継続が困難である場合に、要請度の判定結果をユーザに通知する場合とは異なる波形の振動を、提示面部に生じさせる情報提示制御装置とされている。
【手続補正８】
【補正対象書類名】明細書
【補正対象項目名】０００７
【補正方法】変更
【補正の内容】
【０００７】
また開示された一つの態様は、自動運転可能な車両に搭乗するユーザと接触するよう設けられた提示面部（８２ａ）を振動させる制御により、当該ユーザに情報を提示する情報提示制御プログラムであって、少なくとも一つの処理部（４１）を、自動運転に関連したシステムの状態情報を取得する情報取得部（５１）と、自動運転の継続が困難か否かの判断と、自動運転の継続が困難でない場合でのユーザへの運転参加の要請度の判定とを、状態情報に基づき行う状態判定部（５２）と、自動運転の継続が困難でない場合に、状態判定部の判定結果を提示面部の振動のオン及びオフの繰り返しによって通知し、判定結果の示す要請度が高いほど振動のインターバル（Ｔｉｎ１，Ｔｉｎ２）を短く規定する提示制御部（５３）として機能させ、提示制御部は、自動運転の継続が困難である場合に、要請度の判定結果をユーザに通知する場合とは異なる波形の振動を、提示面部に生じさせる情報提示制御プログラム
【手続補正９】
【補正対象書類名】明細書
【補正対象項目名】０００８
【補正方法】変更
【補正の内容】
【０００８】
さらに開示された一つの態様は、自動運転可能な車両に搭乗するユーザと接触するよう設けられた提示面部（８２ａ）を振動させる制御により、当該ユーザに情報を提示する情報提示制御装置であって、車両から情報を取得する情報取得部（５１）と、自動運転の継続が困難か否かの判断と、自動運転の継続が困難でない場合でのユーザへの運転参加の要請度の判定とを、情報に基づき行う状態判定部（５２）と、自動運転の継続が困難でない場合に、運転参加の要請度に基づき、提示面部の振動のインターバル（Ｔｉｎ１，Ｔｉｎ２）を規定する提示制御部（５３）と、を備え、提示制御部は、自動運転の継続が困難である場合に、自動運転の継続が困難でない場合とは異なる波形の振動を、提示面部に生じさせる情報提示制御装置とされている。
【手続補正１０】
【補正対象書類名】明細書
【補正対象項目名】００１０
【補正方法】変更
【補正の内容】
【００１０】
加えて開示された一つの態様は、自動運転可能な車両に搭乗するユーザと接触するよう設けられた提示面部（８２ａ）を振動させる制御により、当該ユーザに情報を提示する情報提示制御装置であって、自動運転に関連したシステムの状態情報を取得する情報取得部（５１）と、自動運転の継続が困難か否かの判断と、自動運転の継続が困難でない場合でのユーザへの運転参加の要請度の判定とを、状態情報に基づき行う状態判定部（５２）と、自動運転の継続が困難でない場合に、運転参加の要請度に基づいてこのシステムの擬似的な鼓動を生成し、提示面部の振動によって再現した鼓動をユーザにバイオフィードバックする提示制御部（５３）と、を備え、提示制御部は、自動運転の継続が困難である場合に、ユーザにバイオフィードバックする場合とは異なる波形の振動を、提示面部に生じさせる情報提示制御装置とされている。
【手続補正１１】
【補正対象書類名】明細書
【補正対象項目名】００１１
【補正方法】変更
【補正の内容】
【００１１】
また開示された一つの態様は、自動運転可能な車両に搭乗するユーザと接触するよう設けられた提示面部（８２ａ）を振動させる制御により、当該ユーザに情報を提示する情報提示制御プログラムであって、少なくとも一つの処理部（４１）を、自動運転に関連したシステムの状態情報を取得する情報取得部（５１）と、自動運転の継続が困難か否かの判断と、自動運転の継続が困難でない場合でのユーザへの運転参加の要請度の判定とを、状態情報に基づき行う状態判定部（５２）と、自動運転の継続が困難でない場合に、運転参加の要請度に基づいてこのシステムの擬似的な鼓動を生成し、提示面部の振動によって再現した鼓動をユーザにバイオフィードバックする提示制御部（５３）として機能させ、提示制御部は、自動運転の継続が困難である場合に、ユーザにバイオフィードバックする場合とは異なる波形の振動を、提示面部に生じさせる情報提示制御プログラムとされている。
【手続補正１２】
【補正対象書類名】明細書
【補正対象項目名】００１２
【補正方法】変更
【補正の内容】
【００１２】
さらに開示された一つの態様は、自動運転可能な車両に搭乗するユーザと接触するよう設けられた提示面部（８２ａ）を脈動させる制御により、当該ユーザに情報を提示する情報提示制御装置であって、自動運転に関連したシステムの状態情報を取得する情報取得部（５１）と、自動運転の継続が困難か否かの判断と、自動運転の継続が困難でない場合でのユーザへの運転参加の要請度の判定とを、状態情報に基づき行う状態判定部（５２）と、自動運転の継続が困難でない場合に、運転参加の要請度に基づいて提示面部を脈動させる周期を可変させる提示制御部（５３）と、を備え、提示制御部は、自動運転の継続が困難である場合に、提示面部を脈動させる場合とは異なる波形の振動を、提示面部に生じさせる情報提示制御装置とされている。